(57)【要約】【課題】  構成が簡単で、原稿曲がりの発生しない、安価な自動原稿搬送装置を備えた画像形成装置を提供すること。【解決手段】  自動原稿搬送装置を有する画像形成装置において、制御手段は、原稿のサイズが同一の原稿束から１枚毎に原稿を搬送する通常の搬送制御を行う通常モードと、サイズが異なる原稿が混載された原稿束から１枚毎に原稿を搬送する搬送制御を行う混載モードとを有し、前記通常モードを実行する際には、原稿検知センサにより原稿の後端部が検知されてから第１の設定時間の経過後に原稿を停止させる搬送制御を行ない、前記混載モードを実行する際には、前記第１の設定時間に代えて、前記第１の設定時間より長い時間が設定された第２の設定時間により搬送制御を行うようにしたこと。【選択図】        図１
2005247580.tif 000002
【特許請求の範囲】
【請求項１】
原稿載置台に載置された原稿束から１枚毎に原稿を取り出す給紙手段と、
前記給紙手段により取り出された原稿を、下流側の搬送路へと搬送する第１の搬送手段と、前記第１の搬送手段により搬送された原稿を、更に下流側の搬送路へと搬送する第２の搬送手段と、
前記第１の搬送手段と前記第２の搬送手段の間の搬送路に設けられ、搬送される原稿の後端部を検出する原稿検知センサと、
前記給紙手段、前記第１の搬送手段および前記第２の搬送手段を作動させて前記原稿載置台から原稿を搬送する搬送制御を繰り返して行う制御手段と
を備えた自動原稿搬送装置を有する画像形成装置において、
前記制御手段は、原稿のサイズが同一の原稿束から１枚毎に原稿を搬送する通常の搬送制御を行う通常モードと、サイズが異なる原稿が混載された原稿束から１枚毎に原稿を搬送する搬送制御を行う混載モードとを有し、前記通常モードを実行する際には、前記原稿検知センサにより原稿の後端部が検知されてから第１の設定時間の経過後に原稿を停止させる搬送制御を行ない、前記混載モードを実行する際には、前記第１の設定時間に代えて、前記第１の設定時間より長い時間が設定された第２の設定時間により搬送制御を行うことを特徴とする自動原稿搬送装置を有する画像形成装置。
【請求項２】
前記制御手段は、前記第２の搬送手段の下流側の近傍の位置に原稿を停止する搬送制御を行なうことを特徴とする請求項１に記載の自動原稿搬送装置を有する画像形成装置。
【請求項３】
前記制御手段は、前記第２の搬送手段に挟持されない状態で原稿を停止する搬送制御を行なうことを特徴とする請求項１又は請求項２に記載の自動原稿搬送装置を有する画像形成装置。
【請求項４】
前記第２の設定時間は、前記第１の設定時間に対して、少なくとも、原稿の後端部が搬送方向に対して傾いた時の傾き量分の距離を搬送する時間を加算した時間であることを特徴とする請求項１から請求項３の何れかに記載の自動原稿搬送装置を有する画像形成装置。
【請求項５】
前記第２の設定時間は、混載する原稿のサイズの組み合わせに拘わらず一定値に設定されていることを特徴とする請求項１から請求項４の何れかに記載の自動原稿搬送装置を有する画像形成装置。
【請求項６】
前記第２の設定時間は、混載する原稿のサイズの組み合わせに応じて予め設定されていることを特徴とする請求項１から請求項５の何れかに記載の自動原稿搬送装置を有する画像形成装置。
【請求項７】
前記原稿検知センサは、前記第２の搬送手段の近傍に設けられることを特徴とする請求項１から請求項６の何れかに記載の自動原稿搬送装置を有する画像形成装置。
【請求項８】
駆動源を有し、前記給紙手段と前記第１の搬送手段を前記駆動源の第１の回転方向で駆動し、前記第２の搬送手段を前記駆動源の第２の回転方向で駆動する駆動手段を有することを特徴とする請求項１から請求項７の何れかに記載の自動原稿搬送装置を有する画像形成装置。
【請求項９】
前記制御手段は、原稿を前記原稿載置台から搬送する際に、前記駆動源を前記第１の回転方向に作動させることにより前記給紙手段と前記第１の搬送手段を作動させて原稿の搬送を開始させ、その後引き続いて前記第２の回転方向に作動させることにより前記第２の搬送手段を作動させて、前記原稿検知センサにより原稿の後端部が検知されてから第１の設定時間又は第２の設定時間の経過後に、前記駆動源の作動を停止させ、その後に原稿を更に下流側の搬送路へと搬送させる搬送制御を行なうことを特徴とする請求項１から請求項８の何れかに記載の自動原稿搬送装置を有する画像形成装置。
【発明の詳細な説明】
【技術分野】
【０００１】
本発明は、複写機、プリンタ、ファクシミリ、スキャナー等の原稿の画像情報を読取ることができる画像形成装置に関し、特に、原稿載置台に載置した原稿束から原稿を１枚毎に取り出して、搬送された原稿の画像情報を読取手段で読み取ることができる自動原稿搬送装置を備えた画像形成装置に関する。
【背景技術】
【０００２】
最近では、原稿に記載された画像情報（例えば、文字、数字、記号あるいは絵や図および写真等の情報。）を光電的に読取る技術や読み取った大量の情報を、例えばデジタルデータに変換してメモリ等の記憶手段に記憶する技術、あるいは、デジタルデータを通信手段を利用して伝送したり、再現したりする技術が著しく進歩し、この影響を受けて複写機、プリンタ、ファクシミリ、スキャナー等の画像形成装置においても、大量の原稿の画像情報を高速で処理することが可能となり、ますます大量の原稿を取り扱うことが要求されるようになっている。
【０００３】
そこで、大量の原稿を読み取る場合は、一般に、自動原稿搬送装置（自動原稿送り装置またはＡＤＦともいう。）が用いられることが多い。
【０００４】
自動原稿搬送装置は、原稿載置台と複数のローラ等からなる搬送装置を有し、原稿載置台に載置した原稿束から１枚毎に原稿を取り出し、自動的に画像形成装置の読取手段に搬送し、原稿の片面または両面の画像情報を容易に読み取れるようにした搬送装置の作動を制御する制御回路を備えている。
【０００５】
自動原稿搬送装置では、原稿積載台に載置されている原稿束から、例えば送り出しローラと呼ばれる給紙手段により原稿を１枚毎に取り出し、一対のローラからなるレジストローラやフィードローラと呼ばれるローラ等で構成された搬送装置により、長い搬送路を通過させて画像形成装置の読取手段の読取位置に到達させるため、これらの搬送装置等との関係で、搬送中に搬送方向に対して原稿が傾いてしまう「原稿曲がり」と称する現象を発生させることがある。
【０００６】
このような大きな原稿曲がりが発生した時には、自動原稿搬送装置の搬送路内で紙詰まりを起こしたり、原稿が折れ曲がって破損してしまうジャムと称する問題が生じていた。
【０００７】
従来では、このような原稿曲がりを、搬送路の各所に設置したセンサで、例えば、原稿の搬送時間等を測定して搬送状態を検出し、複数のモータとローラからなる搬送装置の作動を制御すると共に、停止させたローラの周面に原稿の先端部を突き当てることにより原稿曲がりを修正して搬送するようにしていた（例えば、特許文献１参照。）。
【特許文献１】特開平８−２７２１６１号公報
【発明の開示】
【発明が解決しようとする課題】
【０００８】
しかしながら、大量の原稿は全てが同一のサイズの原稿とは限らず、様々なサイズの原稿があり、近年の自動原稿搬送装置では、このような様々なサイズの原稿が混在した原稿束を大量に取り扱うことが要求されている。
【０００９】
従って、前述の特許文献１と同様の方法で原稿曲がりのない原稿の搬送を実現しようとすると、自動原稿搬送装置は、原稿のサイズに応じて原稿の搬送状態を検出する必要があり、原稿のサイズに応じて原稿の搬送状態を検出できるセンサを各所に配置しなければならず、また、それらのセンサからの検出信号により、複数のモータやローラ等で構成された搬送装置を細かく制御する必要がある。
【００１０】
すなわち、このような制御は、極めて複雑な制御となるばかりでなく、複数のセンサや複数のモータからなる搬送装置を設ける必要があるため、製作する費用も増加し、極めて高価な自動原稿搬送装置となり、安価な自動原稿搬送装置を備えた画像形成装置を提供することができなくなるという問題があった。
【００１１】
本発明は、上記問題に鑑み、構成が簡単で、原稿曲がりの発生しない、安価な自動原稿搬送装置を備えた画像形成装置を提供することを目的とする。
【課題を解決するための手段】
【００１２】
本発明は、下記構成を採ることにより上記目的を達成できる。
（請求項１）  原稿載置台に載置された原稿束から１枚毎に原稿を取り出す給紙手段と、前記給紙手段により取り出された原稿を、下流側の搬送路へと搬送する第１の搬送手段と、前記第１の搬送手段により搬送された原稿を、更に下流側の搬送路へと搬送する第２の搬送手段と、前記第１の搬送手段と前記第２の搬送手段の間の搬送路に設けられ、搬送される原稿の後端部を検出する原稿検知センサと、前記給紙手段、前記第１の搬送手段および前記第２の搬送手段を作動させて前記原稿載置台から原稿を搬送する搬送制御を繰り返して行う制御手段とを備えた自動原稿搬送装置を有する画像形成装置において、
前記制御手段は、原稿のサイズが同一の原稿束から１枚毎に原稿を搬送する通常の搬送制御を行う通常モードと、サイズが異なる原稿が混載された原稿束から１枚毎に原稿を搬送する搬送制御を行う混載モードとを有し、前記通常モードを実行する際には、前記原稿検知センサにより原稿の後端部が検知されてから第１の設定時間の経過後に原稿を停止させる搬送制御を行ない、前記混載モードを実行する際には、前記第１の設定時間に代えて、前記第１の設定時間より長い時間が設定された第２の設定時間により搬送制御を行うことを特徴とする自動原稿搬送装置を有する画像形成装置。
（請求項２）  前記制御手段は、前記第２の搬送手段の下流側の近傍の位置に原稿を停止する搬送制御を行なうことを特徴とする請求項１に記載の自動原稿搬送装置を有する画像形成装置。
（請求項３）  前記制御手段は、前記第２の搬送手段に挟持されない状態で原稿を停止する搬送制御を行なうことを特徴とする請求項１又は請求項２に記載の自動原稿搬送装置を有する画像形成装置。
（請求項４）  前記第２の設定時間は、前記第１の設定時間に対して、少なくとも、原稿の後端部が搬送方向に対して傾いた時の傾き量分の距離を搬送する時間を加算した時間であることを特徴とする請求項１から請求項３の何れかに記載の自動原稿搬送装置を有する画像形成装置。
（請求項５）  前記第２の設定時間は、混載する原稿のサイズの組み合わせに拘わらず一定値に設定されていることを特徴とする請求項１から請求項４の何れかに記載の自動原稿搬送装置を有する画像形成装置。
（請求項６）  前記第２の設定時間は、混載する原稿のサイズの組み合わせに応じて予め設定されていることを特徴とする請求項１から請求項５の何れかに記載の自動原稿搬送装置を有する画像形成装置。
（請求項７）  前記原稿検知センサは、前記第２の搬送手段の近傍に設けられることを特徴とする請求項１から請求項６の何れかに記載の自動原稿搬送装置を有する画像形成装置。
（請求項８）  駆動源を有し、前記給紙手段と前記第１の搬送手段を前記駆動源の第１の回転方向で駆動し、前記第２の搬送手段を前記駆動源の第２の回転方向で駆動する駆動手段を有することを特徴とする請求項１から請求項７の何れかに記載の自動原稿搬送装置を有する画像形成装置。
（請求項９）  前記制御手段は、原稿を前記原稿載置台から搬送する際に、前記駆動源を前記第１の回転方向に作動させることにより前記給紙手段と前記第１の搬送手段を作動させて原稿の搬送を開始させ、その後引き続いて前記第２の回転方向に作動させることにより前記第２の搬送手段を作動させて、前記原稿検知センサにより原稿の後端部が検知されてから第１の設定時間又は第２の設定時間の経過後に、前記駆動源の作動を停止させ、その後に原稿を更に下流側の搬送路へと搬送させる搬送制御を行なうことを特徴とする請求項１から請求項８の何れかに記載の自動原稿搬送装置を有する画像形成装置。
【発明の効果】
【００１３】
本発明は、混載モードを実行する場合は、原稿検知センサにより原稿の後端部が検知されてから第２の設定時間の経過後に、原稿の搬送を停止させた後に原稿を更に下流側の搬送路へと搬送させるようにしたので、サイズが異なる原稿であっても、原稿が曲がった状態で第２の搬送手段に挟まれて停止することがなく、常に、原稿が大曲がりしてジャム等を発生させることを防止し、構成が簡単で、原稿曲がりの発生しない、安価な自動原稿搬送装置を有する画像形成装置を提供することができる。
【００１４】
特に、制御手段は、通常モードを実行する場合と混載モードを実行する場合とで、原稿検知センサにより原稿の後端部が検知されてから原稿の搬送を停止させるまでの設定時間を変更するようにしたので、何れのモードにおいても、ジャム等が発生しない自動原稿搬送装置を有する画像形成装置を提供することができる。
【００１５】
更に、制御手段は、第２の搬送手段の下流側の近傍の位置に原稿を停止する、あるいは、第２の搬送手段に挟持されない状態で原稿を停止する搬送制御を行なうので、第２の搬送手段に原稿が挟持されることに起因する原稿曲がりの発生を防止することができ、原稿の円滑な自動搬送ができる。
【００１６】
また、本発明は、第２の設定時間を原稿の後端部が搬送方向に対して傾いた時の傾き量分の距離を搬送する時間を加算した時間に設定することで、原稿がローラに挟まれた状態で停止することを防止できるので、更に搬送路の下流側で原稿を大曲がりさせてジャム等を発生させることを防止することができる。
【００１７】
また、第２の設定時間を一定値に設定することにより、簡単に制御できるので安価な制御回路を提供することができる。
【００１８】
更に、第２の設定時間は、混載する原稿のサイズの組み合わせに応じて予め設定すれば、使用する原稿のサイズに応じて、少しでも無駄な時間を削減でき、生産性の高い画像形成を実現できる。
【００１９】
なお、原稿検知センサを第２の搬送手段の近傍に設けたことにより、原稿曲がりによるジャムを防止するための設定時間を一層短い時間に設定することができ、無駄な時間のない効率的な搬送制御を行うことができる。
【００２０】
また、本発明は、駆動源の第１の回転方向と第２の回転方向とを切り換えて、複数の搬送手段等を駆動するようにしたので、１つの駆動源で駆動でき、制御が容易で安価な搬送手段を備えた自動原稿搬送装置を有する画像形成装置を提供することができる。
【００２１】
また、駆動源を第１の回転方向と第２の回転方向とに適宜に切り換えて作動させることにより、原稿の搬送制御を円滑で効率的に、しかも容易に行うことができるようにしたので、搬送機構や制御回路等も簡単になり、安価な搬送手段や制御手段を備えた自動原稿搬送装置を有する画像形成装置を提供することができる。
【発明を実施するための最良の形態】
【００２２】
以下、本発明の実施の形態について図面を参照しながら説明するが、本発明は、これに限定されるものではない。なお、各図面において、同一符号のものは同一の物を示すものとし、適宜、関連する他の図面を参照して、詳細に説明するものとする。
【００２３】
図１は本発明に係る自動原稿搬送装置を備えた画像形成装置の概略図、図２は本発明に係る自動原稿搬送装置を備えた画像形成装置の回路構成を示すブロック図、図３は本発明に係る自動原稿搬送装置の搬送制御を示す模式図である。
【００２４】
図１により本発明に係る画像形成装置の構成について説明する。なお、本発明の実施の形態における画像形成装置は、説明を簡単にするために電子写真方式の複写機とする。電子写真方式の複写機はよく知られているので、本発明と直接関わりのない部分に関しては簡単に説明する。
【００２５】
２０は画像形成装置全体を示し、画像形成装置２０の筐体１の右側面部には、比較的少量の紙やＯＨＰシート等の通常の転写材（転写紙または普通紙ともいう。）Ｐを供給するための手差し皿２が設けられている。
【００２６】
また、左側面部には、画像が形成され排出された通常の転写材Ｐ、又は、例えば、インデックス原稿に基く画像を形成したりするときに使用する特殊な転写材（例えば、インデックス用紙。）ＩＰを排出して積載するための排紙皿３が設けられている。
【００２７】
筐体１の前面の上部には、画像形成装置２０を作動させるための表示手段及び操作入力手段としてのコントロールパネルＣＰが設けられている。
【００２８】
コントロールパネルＣＰには、例えば、液晶表示装置、あるいは、表示装置にタッチパネル等が組み込まれた表示手段としての液晶表示装置ＤＰ、数値等を入力するキーボードＫＢ、及び、コピー等の一連の画像形成動作を実行させるスタート釦（コピー釦ともいう。）ＳＫ等からなる入力装置とが設けられている。
【００２９】
筐体１の底面部には画像形成装置２０を移動できるようにするための複数のローラ４が設けられている。
【００３０】
筐体１の内部には、制御手段ＥＣ、画像形成手段１１、画像読取手段１３、及び給排紙手段１４等が設けられている。
【００３１】
制御手段ＥＣは、制御回路とも呼ばれ、画像形成装置２０の全ての作動を制御するための手段で、後述するＣＰＵ等からなる電気回路で構成されている。そして、ＣＰＵに予め記憶された制御プログラムや制御データ等に基づき、画像形成装置２０を構成する全ての手段を駆動制御するようになっている。
【００３２】
画像形成手段１１は、原稿の画像情報に基づく画像を形成するための手段である。例えば、モータ等の駆動源により予め設定された作像方向（矢印Ｙ）に回転する感光体ドラム５、感光体ドラム５を一様に帯電する帯電手段６、原稿の画像情報（画像データともいう）に基づき信号化され、感光体ドラム５に静電潜像を形成する露光光Ｅ、感光体ドラム５に形成された静電潜像をトナー像として顕像化する現像手段７、感光体ドラム５に形成されたトナー像を転写材Ｐ等に転写する転写分離手段８、トナー像が転写材Ｐ等に転写された後、感光体ドラム５に残留するトナーや紙粉等を掻き落とすためのクリーニング手段９、及び、転写されたトナー像を転写材Ｐに溶融固着するための定着手段１０等により構成されている。
【００３３】
なお、定着手段は、熱源（ヒータ）により加熱される定着ローラに加圧ローラを圧接させ、転写材を両ローラで挟持搬送しながら熱と圧力とにより未定着トナー像の定着を行なうヒートローラ方式の熱定着装置とする。
【００３４】
読取装置ＥＳは、画像形成装置２０が複写機の場合は、プラテンガラス（図示せず）上に載置した原稿や自動原稿搬送装置３０で、読取位置に搬送された原稿の画像情報を読み取り、デジタルの画像データに変換して、後述する記憶手段１６０に画像データを記憶するようになっている。
【００３５】
自動原稿搬送装置（ＡＤＦ）３０により搬送された原稿を画像読取手段１３で読み取る場合は、読取位置に搬送された原稿を光源ＬＴが照射し、ミラーＭＲ１、ＭＲ２、ＭＲ３を介して、原稿からの反射光を結像レンズＬＺにより読取装置ＥＳのＣＣＤ面に結像させ、ＣＣＤの出力する画像情報を画像データとして記憶する。
【００３６】
給排紙手段１４は、給紙カセット１２と、駆動源としてのモータ（図示せず。）や複数のローラ等からなる給排紙搬送装置で構成されている。
【００３７】
給紙カセット１２は、特殊な転写材ＩＰ（例えば、インデックス用紙。）を収納する特殊な転写材用カセット１２ａと、普通紙Ｐを収納する普通紙用カセット１２ｂとで構成されている。
【００３８】
給排紙搬送装置は、制御手段ＥＣの指示により、原稿に基づき特殊な転写材ＩＰ又は普通紙Ｐを選択した後に、モータを回転させると共に複数のローラ等を回転駆動させて、給紙カセット１２から適切なタイミングで感光体ドラム５に向けて普通紙Ｐ又は特殊な転写材ＩＰを給紙搬送し、画像が形成された後に、排紙皿３へ排紙搬送するようになっている。
【００３９】
筐体１の上部には、自動原稿搬送装置（ＡＤＦ）３０が装備されており、画像形成装置２０の画像読取手段１３と連動して、原稿を自動的に読取装置ＥＳの読取位置に向けて搬送し、読取装置ＥＳにより原稿の画像情報を読み取らせることができるようになっている。
【００４０】
ＡＤＦ３０は、搬送装置全体がＡＤＦ筐体３１で覆われ、ＡＤＦ筐体３１の外部に原稿載置台３２と排紙部３３が設けられている。
【００４１】
原稿載置台３２には、第１頁の原稿面（表面）を最上部にした状態の複数の原稿ＷＰが載置される。載置された原稿ＷＰは、原稿搬送装置により読取位置に搬送され、読取装置ＥＳで読み取られ、排紙部３３に排紙される。
【００４２】
例えば、複数ページから成る原稿束の最上部に、インデックス原稿が載置された形態の原稿ＷＰの場合も同様に搬送され、読み取られ、排紙される。
【００４３】
なお、インデックス原稿は、原稿束の内容の要約等が記載され、一般に、インデックス用紙としてはタブと呼ばれる突出部を有する厚手の紙が使用されている。
【００４４】
原稿搬送装置は、図示せぬ駆動制御回路により、画像形成装置２０の制御手段ＥＣと連動して作動するようになっている。
【００４５】
原稿搬送装置は、矢印Ｊ方向に揺動して原稿載置台３２に載置された原稿ＷＰを１枚づつ取り出す送りローラ３４、取り出された原稿を下流側の搬送路へと搬送する搬送ローラ（Ａ）３５、搬送ローラ（Ａ）３５により送られた原稿ＷＰを、例えば、一旦停止させ、適切なタイミングで順次搬送させるための一対のローラからなり、レジストローラとも呼ばれるる搬送ローラ（Ｂ）３６、従動して回転するローラ３８に対向して設けられ、原稿ＷＰをローラ３８との間に挟持して従動回転する搬送ローラ（Ｃ）３７、搬送されてきた原稿ＷＰをローラ３８との間に挟持して、読取装置ＥＳで読み取れるように、読取位置に搬送する読取ローラ３９、読み取られた原稿ＷＰを矢印Ｌ方向に排紙搬送する一対の排紙ローラ４０、原稿ＷＰを裏返して裏面の画像情報を読み取れるようにＫ方向に搬送するための反転部材４１、及び、搬送された原稿ＷＰを検出し検知情報を出力する原稿検出センサＳ１等で構成されている。
【００４６】
特に、本実施の形態においては、原稿を搬送する搬送装置の駆動機構を簡単な構成にするために、給紙手段としての送りローラ３４、第１の搬送手段としての搬送ローラ（Ａ）３５、および第２の搬送手段としての搬送ローラ（Ｂ）３６は１つの駆動手段であるモータにより回転駆動され、例えば、送りローラ３４と搬送ローラ（Ａ）３５は第１の回転方向（正転）で作動し、搬送ローラ（Ｂ）３６は第２の回転方向（逆転）で作動するようになっている。
【００４７】
そして、これらのローラまたはこれらのローラに駆動力を伝達する機構には、例えば、一方クラッチが組み込まれていて、予め設定された回転方向とは異なる回転方向の駆動が行われた場合、例えば、モータが正転している時は、搬送ローラ（Ｂ）３６は停止しており、逆転する時は送りローラ３４と搬送ローラ（Ａ）３５が停止するようになっている。
【００４８】
原稿検出センサＳ１は、フォトセンサや機械的なスイッチ等により構成され、搬送ローラ（Ａ）３５と搬送ローラ（Ｂ）３６との搬送路の間で、搬送路ローラ３６の上流側の近傍に配置されている。
【００４９】
制御手段は、原稿検出センサＳ１により搬送方向における原稿ＷＰの例えば後端部が検出され、原稿ＷＰの搬送が完了したことを検出することにより原稿検出センサＳ１から出力される情報（信号）によって、前述の搬送ローラを回転駆動するためのモータの回転方向を切換えて、次の原稿ＷＰの搬送を制御するための搬送情報を得たり、搬送された原稿の枚数（ページ数ともいう。）を計測する計数情報を得ることができるようになっている。
【００５０】
従って、原稿検出センサＳ１で検出された情報を計数する場合は、計数情報として後述する情報制御回路１２０を介して記憶手段１６０に記憶される。原稿の搬送を制御するための搬送情報として使用する場合は、情報制御回路１２０を介して駆動制御回路１５０に伝達され、この情報に基づき、前述のモータを回転させたり停止させたり、あるいは、回転方向を切り替えたりするようになっている。
【００５１】
なお、詳細は割愛するが、搬送作動には、原稿ＷＰの片面のみの画像情報を読み取らせる片面モードと原稿ＷＰの表裏両面の画像情報を読み取らせる両面モードがあり、反転部材４１が軸４１ａを中心に揺動することにより片面モードと両面モードでの読み取りが可能になっている。
【００５２】
次に、図２により本発明に係る画像形成装置の回路構成について説明する。
【００５３】
１００は画像形成装置２０全体の各種手段と回路との構成を示しており、１１０は画像形成装置全体の制御を行うＣＰＵであり、画像形成装置２０を制御するための各種モードのプログラムやプログラムを実行するために必要なデータ等が予め記憶されている。
【００５４】
ＣＰＵ１１０には、情報制御回路１２０、画像処理回路１４０、駆動制御回路１５０および電源回路４００等が接続されている。そして、これらの回路により図１に示す制御手段ＥＣが構成され、画像形成装置２０全体の制御ができるようになっている。
【００５５】
また、自動原稿搬送装置３０が装着されている場合は、自動原稿搬送装置３０の制御回路（図示せず。）と連携して、画像形成装置２０を中心とする画像形成システム全体を円滑に作動するように制御する制御手段としても機能するようになっている。
【００５６】
情報制御回路１２０は、ＣＰＵ１１０の指示により、インタフェース（Ｉ／Ｆ）１３０を介して外部情報機器５００と接続して、文字や画像等の画像情報や画像形成等に必要な濃度や倍率等の設定情報をＪＯＢ情報として、１つの印刷単位である１ＪＯＢ単位で入力し記憶手段１６０に記憶する。また、記憶手段１６０に記憶された設定情報等を画像処理回路１４０や駆動制御回路１５０、あるいは表示手段３００等に出力するようにしている。
【００５７】
また、情報制御回路１２０は、外部情報機器５００から入力したＪＯＢ情報の他に、ＪＯＢ情報に付随したデータ（ＪＯＢデータともいう。）、例えば、画像処理回路１４０や駆動制御回路１５０等を含む各種回路や各種手段を作動させるための詳細な制御に関する指示情報等の入出力、及び操作入力手段２００で入力された転写材の種類や画像形成モード等に関連する各種情報等を、自動的に、画像形成装置の作動に支障がないように、適宜円滑に画像形成装置の各回路や各種手段に伝達する機能を有している。
【００５８】
なお、外部情報機器５００としては、主としてコンピュータやインターネット・サーバーであるが、場合によっては、ローカル・エリア・ネットワーク（ＬＡＮ）上の他の画像形成装置、あるいは、デジタル・カメラや計測した情報を出力可能な計測装置等の情報機器が想定される。
【００５９】
インタフェース（Ｉ／Ｆ）１３０は、情報授受手段であり、前述のコンピュータや他の画像形成装置、インターネット・サーバー等の外部情報機器５００と各種ネットワークを介して接続できるように構成されている。
【００６０】
操作入力手段２００は、画像形成装置２０のコントロールパネルＣＰに設けられたキーボードＫＢ、及び、スタート釦ＳＫ等の釦類からなる入力装置、及び、表示装置を兼ねるタッチパネル方式の液晶表示装置ＤＰ等により構成されている。
【００６１】
例えば、キーボードＫＢを操作することにより、転写材の出力枚数や種類（例えば、インデックス紙、厚紙、普通紙、薄紙、再生紙、ＯＨＰシート、再利用紙等）、あるいは拡大縮小等の倍率や出力画像の濃度等の設定情報が入力でき、液晶表示装置ＤＰを使用して、画像形成装置２０の各種作動モードを設定することができるようになっている。
【００６２】
表示手段３００には、操作入力手段２００により前述の各種情報を入力する際の操作手順や各種情報の一覧表示、あるいは記憶手段１６０に記憶された情報の表示、画像形成装置の作動中の状態表示や警告表示等が表示されるようになっている。
【００６３】
本発明の実施の形態においては、表示と入力を兼ねた動作が可能なタッチパネル方式の表示装置ＤＰにより、主に転写材の種類や収納場所及び各種作動モードの一つである画像形成モードを選択設定できるようにしている。
【００６４】
画像形成モードは、（１）片面印字原稿を片面印字出力する。（２）片面印字原稿を両面印字出力する。（３）両面印字原稿を片面印字出力する。（４）両面印字原稿を両面印字出力する。以上４つのモードがあり、それぞれボタン表示されていて選択設定できるようになっている。
【００６５】
また、転写材の種類に関しては、普通紙、厚紙、薄紙、インデックス紙、再生紙、ＯＨＰシート、再利用紙等が選択でき、また、転写材の収納場所に関しても、カセット１２や手差し皿２等が選択できるようになっている。
【００６６】
画像処理回路１４０は、ＣＰＵ１１０の指示により、画像読取手段１３が読み取った原稿の画像情報をデジタル変換して、画像データとして記憶手段１６０に記憶させたり、或いは、画像形成手段１１が画像を形成する際に、記憶手段１６０に記憶されている画像データを画像形成手段１１の画像形成方式に適したデータや信号等に変換する回路である。
【００６７】
駆動制御回路１５０は、ＣＰＵ１１０の指示により、画像形成手段１１、画像読取手段１３、給排紙手段１４、及び、ＡＤＦ３０等を、予め設定された作動モードに基づき、適切なタイミングで作動させ画像形成作動を行なわせるための回路である。
【００６８】
記憶手段１６０は、画像を形成するために必要な画像データ及び画像形成装置２０を制御するための設定条件等からなるＪＯＢ情報やＪＯＢデータ、及び、各種設定モードのプログラム等の情報を記憶するようになっている。
【００６９】
なお、ＪＯＢ情報及びＪＯＢデータに関して、本発明の実施の形態においては、以下のように定義する。
【００７０】
ＪＯＢ情報とは、画像形成装置２０が複写機の場合は、例えば、原稿の画像情報に基づき、原稿をセットし、片面又は両面モードの選択、給紙カセットの選択、コピー部数の選択、印刷濃度の選択などの、個々の仕事（ＪＯＢ）の情報を意味し、出力設定を行い、コピー開始を指示することにより決定される一連の印刷データをいう。そして、このような１つの印刷指示（１印刷単位ともいう。）に対応した印刷データ群を１ＪＯＢという。
【００７１】
また、同様に、画像形成装置が、例えば、プリンターの場合は、外部情報機器５００から送信された一連の印刷データ群をＪＯＢ情報といい、１つの印刷指示に対応した印刷データ群を１ＪＯＢという。そして、１ＪＯＢ毎にＪＯＢ情報やＪＯＢデータを取り扱うことを１ＪＯＢ単位という。
【００７２】
なお、ＪＯＢデータとは、ＪＯＢ情報に付随した、例えば、転写材に応じた搬送速度の設定、あるいは、画像形成動作を実行するための詳細な制御項目に関連する制御値のデータをいう。
【００７３】
従って、記憶手段１６０には１つのＪＯＢ毎に、つまり１ＪＯＢ単位（単に、ＪＯＢ単位ともいう。）でＪＯＢ情報やＪＯＢデータが記憶されている。
【００７４】
画像形成手段１１は、図１に示すように、感光体ドラム５、帯電手段６、現像手段７、転写分離手段８、クリーニング手段９、定着手段１０等により構成され、駆動制御回路１５０により作動される。
【００７５】
従って、画像形成手段１１は、画像読取手段１３で読み取られ、記憶手段１６０に記憶された画像データ及びＪＯＢ情報やＪＯＢデータに基づいて制御されて、感光体ドラム５に画像を形成し、普通紙Ｐまたは特殊な転写材ＩＰに画像を転写し記録するようになっている。
【００７６】
画像読取手段１３は、図１に示すように、読取光学系と読取装置ＥＳとで構成されている。駆動制御回路１５０により作動され、読取位置に搬送された原稿の画像情報を読取装置ＥＳで読み取り、読み取られた画像情報は、例えば、画像処理回路１４０により、デジタルの画像データに変換して、記憶手段１６０に記憶するようになっている。
【００７７】
給排紙手段１４は、図１に示すように、特殊な転写材ＩＰと普通紙Ｐを収納する給紙カセット１２と給排紙搬送装置で構成されている。
【００７８】
給排紙搬送装置は、ＣＰＵ１１０の指示により、特殊な転写材ＩＰ又は普通紙Ｐが選択された後に、駆動制御回路１５０を介して作動する。給紙カセット１２から選択された特殊な転写材ＩＰ又は普通紙Ｐを適切なタイミングで感光体ドラム５に向けて給紙搬送し、画像が形成された特殊な転写材ＩＰ又は普通紙Ｐを、片面モードか両面モードかにより搬送経路を適切に変更して、最終的には排紙皿３へ排紙搬送するようになっている。
【００７９】
自動原稿搬送装置（ＡＤＦ）３０は、例えば、ＡＤＦ用の制御回路（図示せず。）を有し、図１に示すように、原稿載置台３２に載置された原稿を原稿搬送装置により自動的に１枚づつ読取位置に搬送する装置で、画像形成装置２０のＣＰＵ１１０の指示により、駆動制御回路１５０と連携して作動する。
【００８０】
ＡＤＦ用の制御回路は、画像形成装置２０のスタート釦ＳＫが操作されると、ＣＰＵ１１０の指示により、駆動制御回路１５０を介して作動が開始され、予め設定されたプログラムに基づき作動するようになっている。
【００８１】
そして、原稿検出センサＳ１から出力される搬送情報に応じて、前述のようにモータを正転または逆転させて、搬送ローラ等を作動させ、原稿載置台の原稿束から原稿ＷＰを１枚毎に取り出し、画像形成装置２０の読取位置方向へ搬送させるようになっている。
【００８２】
電源回路４００は、使用者の操作により、電源スイッチ（図示せず）が投入されると、電源から適切な通電が画像形成装置全体に行われ、電源スイッチが遮断されると、通電が遮断されるようになっている。
【００８３】
なお、電源スイッチが投入されていても、例えば、画像形成装置を待機状態にする省電モードの場合は、ＣＰＵ１１０の指示により、一時的なメモリの記憶内容等の保存のために必要な通電のみを継続し、定着手段のヒータ等の他の通電を遮断するするようになっている。
【００８４】
図３により、本発明に係る自動原稿搬送装置の搬送制御をについて説明する。なお、図３（ａ）は、自動原稿搬送装置の主要部の側面図であり、図３（ｂ）は、主要部の平面図を表すものとする。
【００８５】
図３（ａ）において、３４は送りローラ、３５は一対の搬送ローラ（Ａ）、３６は一対の搬送ローラ（Ｂ）であり、３４ｄ、３５ｄ、３６ｄはそれぞれのローラの回転軸である。また、これらのローラ等の機構は、図示せぬ駆動源であるモータおよび歯車やベルト等の駆動力伝達機構からなる駆動手段により作動が制御されるようになっている。
【００８６】
特に、送りローラ３４（給紙手段）は、回転軸３４ｄと搬送ローラ（Ａ）３５の回転軸３５ｄとの間に設けられた腕部材３４ｂにより、回転軸３５ｄを中心に矢印Ｊ方向に往復揺動するようになっており、原稿載置台３２の原稿位置規制部Ｇの側面に沿って位置決めされ載置された原稿ＷＰから１枚の原稿Ｐ（Ａ）を取り出すときは、矢印Ｊの時計方向に揺動し、原稿ＷＰの最上部の原稿Ｐ（Ａ）と接触して回転することにより１枚の原稿Ｐ（Ａ）を取り出し、矢印Ｆ方向に搬送することができるようになっている。
【００８７】
搬送ローラ（Ａ）３５（第１の搬送手段）は、送りローラ３４で取り出された１枚の原稿Ｐ（Ａ）を一対のローラで挟持して搬送ローラ（Ｂ）３６（第２の搬送手段）の方向に搬送するようになっており、搬送ローラ（Ｂ）３６は、搬送ローラ（Ａ）３５により送られてきた原稿Ｐ（Ａ）を更に一対のローラで挟持して画像形成装置の読取位置に向けて下流側の搬送路へと搬送するようになっている。
【００８８】
Ｓ１は原稿検出センサであり、搬送ローラ（Ｂ）３６の中心よりＬＳ１の距離だけ離れた搬送路の上流側に設けられており、搬送ローラ（Ｂ）３６により搬送される原稿Ｐ（Ａ）の後端部を検出すると、原稿Ｐ（Ａ）の後端部が搬送ローラ（Ｂ）３６の下流側のＬ１だけ離れた位置になるように、つまり、原稿Ｐ（Ａ）が搬送ローラ（Ｂ）３６を通り抜けた位置で停止するように所定時間後にモータを停止させ、再度、次の原稿Ｐ（Ａ）を搬送するために、駆動手段のモータの回転を開始させる搬送情報を制御回路ＥＣに出力するようになっている。
【００８９】
なお、詳細は後述するが、本実施の形態においては、送りローラ３４、搬送ローラ（Ａ）３５、搬送ローラ（Ｂ）３６に関しては、特に、１個のモータの正逆回転で駆動するように構成され、例えば、送りローラ３４、搬送ローラ（Ａ）３５は正転方向の回転（単に、正転ともいう。）で駆動し、搬送ローラ（Ｂ）３６は逆転方向の回転（単に、逆転ともいう。）で駆動するようになっている。勿論、正転または逆転の方向は、駆動力伝達機構等を構築する際に適宜設定されるものである。
【００９０】
ここで、自動原稿搬送装置の通常の搬送作動について、簡単に説明する。なお、通常の搬送作動とは、原稿サイズが一定の原稿で構成された原稿束から１枚毎に原稿を取り出して搬送する作動をいい、この作動を実行させるモードを通常モードという。
【００９１】
まず、原稿載置台３２の原稿位置規制部Ｇの側面に沿って原稿Ｐが位置決めされ載置された後に、画像形成装置２０のスタート釦ＳＫが押されると、制御回路ＥＣの情報制御回路１２０がスタート釦ＳＫが押された情報を検知して、ＣＰＵ１１０が作動し駆動制御回路１５０を介して自動原稿搬送装置の制御回路（図示せず。）を作動させる。
【００９２】
自動原稿搬送装置の制御回路は、モータを正転させ、送りローラ３４と搬送ローラ（Ａ）３５を作動させて、原稿載置台３２の原稿ＷＰから１枚の原稿Ｐ（Ａ）を取り出し搬送する。
【００９３】
原稿Ｐ（Ａ）の先端部が搬送ローラ（Ｂ）３６に挟持される位置に来るとモータが一旦停止し、今度はモータを逆転して搬送ローラ（Ｂ）３６を回転させる。搬送ローラ（Ｂ）３６により搬送される原稿Ｐ（Ａ）の後端部を原稿検出センサが検知すると搬送情報を出力するので、自動原稿搬送装置の制御回路は搬送情報を入力してから所定時間後にモータを停止させる。
【００９４】
従って、原稿Ｐ（Ａ）の後端部は、搬送ローラ（Ｂ）３６の挟持から解放された下流側のＬ１位置にて停止し、原稿Ｐ（Ａ）は搬送ローラ（Ｂ）３６に挟持された状態で停止しない。
【００９５】
このとき、原稿の先端部は図示はしないが、搬送ローラ（Ｃ）３７とローラ３８に挟持されているので、次に、予め設定されたプログラムに基づき、前述のモータと同一または別のモータで構成される駆動力伝達機構を作動させることにより搬送ローラ（Ｃ）３７やローラ３８を回転させ、また、読取ローラ３９や排紙ローラ４０等を回転させたり反転部材４１を作動させて原稿を搬送することができ、読取作動が行われることになる。
【００９６】
このように、繰り返してモータを正転、又は逆転で作動させることで上記一連の搬送作動を繰り返すことができる。
【００９７】
なお、前述したように、これらのローラまたはこれらのローラに駆動力を伝達する駆動力伝達機構には、一方クラッチが組み込まれていて、１個のモータでこれらのローラが作動できるように、例えば、モータが正転している時は、搬送ローラ（Ｂ）３６は停止しており、逆転する時は送りローラ３４と搬送ローラ（Ａ）３５が停止するようになっている。
【００９８】
また、本実施の形態においては、原稿検出センサＳ１は、原稿Ｐ（Ａ）の後端部を検出して搬送情報を出力し、逆回転するモータを停止させる時にのみ使用するようにしているが、原稿Ｐ（Ａ）の先端部を検出して搬送情報を出力することができるようにしてモータを制御するようにしても良く、例えば、搬送ローラ（Ａ）３５により搬送された原稿Ｐ（Ａ）の先端部を搬送ローラ（Ｂ）３６に挟持される位置で一旦停止させ、モータの回転方向を切り換える場合に、搬送されている原稿Ｐ（Ａ）の先端部を原稿検出センサＳ１が検出した時に出力する搬送情報で、正回転するモータを停止させるようにし、その後、モータを逆回転させて搬送ローラ（Ｂ）３６により原稿Ｐ（Ａ）を搬送し、引き続いて原稿Ｐ（Ａ）の後端部を検出した場合に、搬送情報を出力してから所定時間後にモータを停止させるように制御しても良い。
【００９９】
次に、図３（ｂ）により、混載モードにおける搬送制御について説明する。なお、混載モードとは、原稿サイズの異なる原稿を含む原稿束から１枚毎に原稿を取り出して搬送する作動を実行させるモードをいう。
【０１００】
本実施の形態における自動原稿搬送装置は、原稿サイズが異なる原稿を搬送するための混載モードを有している。また、図３（ｂ）に示すように、原稿Ｐ（Ａ）とは異なる用紙サイズの２点鎖線で示す原稿Ｐ（Ｂ）も搬送できるようになっており、搬送方向Ｆに対して原稿Ｐ（Ｂ）は、原稿Ｐ（Ａ）の垂直方向の幅にＬ５の差を有する。一例を挙げると、例えば、原稿Ｐ（Ａ）が搬送方向に対して縦長のＡ４サイズの原稿とすると、原稿Ｐ（Ｂ）は、搬送方向に対して横長のＡ４Ｒや縦長のＡ３サイズの原稿がこれに相当する。勿論、これらの原稿サイズに限定されるものではない。
【０１０１】
原稿Ｐ（Ａ）や原稿Ｐ（Ｂ）等を搬送できるようにするために、例えば、送りローラ３４は、原稿Ｐ（Ｂ）の搬送方向に対して垂直な幅方向の中央の位置に接触するように設けられ、搬送ローラ（Ａ）３５は、回転軸３５ｄに対して原稿Ｐ（Ｂ）の幅方向の中央にローラ部３５ｃを設け、両側にほぼ等間隔でローラ部３５ａ、３５ｂが設けられており、搬送ローラ（Ｂ）３６も同様に、回転軸３６ｄに対してローラ部３６ｃを中央に両側に３６ａ、３６ｂが設けられている。
【０１０２】
従って、原稿Ｐ（Ｂ）を搬送する場合は、全てのローラ部を使用することになるが、原稿Ｐ（Ａ）を搬送する場合は、原稿Ｐ（Ａ）の端面とローラ部３５ｃの中心とはＬ６の距離があることになり、（ロ）図の状態で原稿Ｐ（Ａ）を搬送する場合は、ローラ部３５ｂや３６ｂは実質的には搬送作動に寄与していないことになる。従って、原稿がＰ（Ａ）の場合の方が原稿Ｐ（Ｂ）より原稿曲がりを発生しやすい状況にあるといえる。
【０１０３】
なお、用紙を綴じるために複数の穴が設けられた穴付き原稿等
を使用する場合が考えられ、この穴が原稿の中央に設けられていることがあるので、この穴による検出時の誤作動を防止するために、前述のように、原稿検出センサＳ１は、搬送路の上流側のＬＳ１の位置に設けられ、搬送方向に対して垂直な幅方向に関しては、ローラ部３５ｃの中心よりＬＳ２の距離の位置に設けられている。
【０１０４】
自動原稿搬送装置で混載モードが実行される場合は、前述のように、それぞれのローラとサイズが異なる原稿との接触位置の相違等により、搬送の過程で原稿曲がりを生じ易いという問題があった。
【０１０５】
例えば、片側に原稿位置規制部Ｇがあるような場合には、特に、送りローラ３４で原稿Ｐ（Ａ）を取り出して搬送する時には、原稿を取り出す時のローラと原稿の接触状態等により破線で示す原稿Ｐ（Ａ１）のような原稿曲がりが生じ易く、原稿Ｐ（Ａ１）の一方の角部が搬送ローラ（Ｂ）３６の回転軸３６ｄの軸中心に有り、他方の角部が、その中心に対してＬ３の距離だけ傾いた原稿曲がりが生じることがある。
【０１０６】
原稿Ｐ（Ｂ）の場合も同様に、破線で示す原稿Ｐ（Ｂ１）のように、原稿Ｐ（Ｂ１）の一方の角部が搬送ローラ（Ｂ）３６の回転軸３６ｄの軸中心に有り、他方の角部が、その中心に対してＬ４の距離だけ傾いた原稿曲がりが生じることがある。
【０１０７】
しかしながら、このような原稿曲がりが発生した状態で搬送される場合、原稿Ｐ（Ａ１）または原稿Ｐ（Ｂ１）の後端部は傾いた状態で原稿検出センサＳ１を通過するが、原稿検出センサＳ１は正常な状態で通過した後端部を検出したものとして搬送情報を出力してしまうことになる。
【０１０８】
つまり、原稿検出センサＳ１が原稿の後端部を検出してから搬送情報を出力するので、正常な状態における所定時間経過後、すなわち原稿の後端位置Ｌ１と原稿検出センサＳ１の検出領域の先端位置Ｌ２を加えた距離を搬送するために必要な時間（第１の時間）後にモータが停止すると、実際には、原稿Ｐ（Ａ１）または原稿Ｐ（Ｂ１）の後端部は傾いているので完全にはＬ１の位置には搬送されておらず、原稿Ｐ（Ａ１）または原稿Ｐ（Ｂ１）の後端部の一部分は１対の搬送ローラ（Ｂ）３６に挟持された状態で停止することになる。
【０１０９】
原稿Ｐ（Ａ１）または原稿Ｐ（Ｂ１）が曲がった状態で１対の搬送ローラ（Ｂ）３６に挟持され、停止している状態にある時に、次の作動が開始され、再度、搬送ローラ（Ｂ）３６が回転された場合は、曲がった状態のまま搬送ローラ（Ｂ）３６の強い回転をうけるので、更に原稿を大きく曲げることになったり、搬送ローラ（Ｃ）３７により搬送される時に搬送ローラ（Ｂ）３６に挟まれている部分が大きな抵抗を受け、更に原稿を大きく曲げることになったりして、曲がったまま搬送されることになる。
【０１１０】
そこで、原稿検知センサＳ１が原稿の後端部を検出してからモータを停止させるまでの時間を、例えば、曲がりが発生しない時の原稿Ｐ（Ａ）が搬送される場合は、Ｌ１とＬ２を加えた距離を搬送する時間（第１の時間）に設定していたが、原稿Ｐ（Ａ１）の場合はＬ１とＬ３を加えた距離を搬送するために必要な時間（第２の時間）とし、あるいは、原稿Ｐ（Ｂ１）の場合はＬ１とＬ４を加えた距離を搬送するために必要な時間（第３の時間）として通常の場合に設定する第１の時間より搬送方向に対して傾いたＬ３またはＬ４からＬ２を差し引いた差分の距離、すなわち原稿が傾いた時の傾き量分の距離を搬送する時間に相当する時間分を長く設定した。
【０１１１】
例えば、実験条件の１例としては、自動原稿搬送装置の搬送ローラ（Ｂ）３６の直径を２０ｍｍ、Ｌ１＝５ｍｍ、ＬＳ１＝１５ｍｍ、および原稿の搬送速度（線速ともいう。）を４００ｍｍ／ｓｅｃとしたときに、Ｌ１とＬＳ１の距離２０ｍｍを搬送するに必要な第１の時間を５０ｍＳｅｃ、同様に、第２の時間を７５ｍｓｅｃ（第１の時間＋２５ｍｓｅｃ）、第３の時間を１００ｍｓｅｃ（第１の時間＋５０ｍｓｅｃ）に設定して、原稿検出センサＳ１に市販のフォトセンサを用いた自動原稿搬送装置の制御回路を使用して実験した。なお、それぞれ第１〜３の時間は、原稿サイズの幅を基準として原稿の傾きを想定し、搬送方向に対して縦長のＡ４相当（１倍）、横長のＡ４Ｒ相当（約１．５倍）及び横長のＡ３相当（約２倍）となるように長めに設定した。
【０１１２】
その結果、搬送ローラ（Ａ）３５と搬送ローラ（Ｂ）３６との間で原稿曲がりが生じても、原稿の後端部が搬送ローラ（Ｂ）３６に挟持された状態で停止することがなく、しかも、次の搬送ローラ（Ｃ）３７等、それ以降のローラで原稿が搬送される時に、自然に大きな原稿曲がりが矯正されるようになり、ジャム等の発生のない好結果が得られた。
【０１１３】
従って、この結果に基づき、本発明の実施の形態においては、通常モードにおいては、通常の状態における前述の第１の時間に対し、原稿が若干曲がっても原稿曲がりが発生しにくいように考慮して、Ｌ１とＬ３を加えた距離を搬送するために必要な時間、すなわち原稿Ｐ（Ａ１）の場合の第２の時間を第１の設定時間とし、混載モードにおいては、原稿のサイズが異なっていることから搬送時に曲がりが生じやすいことを考慮して、原稿Ｐ（Ｂ１）の場合のＬ１とＬ４を加えた距離を搬送するために必要な第３の時間を第２の設定時間に設定することにした。第２の設定時間は、第１の設定時間より若干長めの設定時間となっている。
【０１１４】
なお、本実施の形態においては、制御回路を安価にするために搬送制御を簡単にし、また、安全性を考慮して、第２の設定時間は、混載する原稿サイズの組み合わせに拘わらずやや長めの一定値に設定したが、混載する原稿サイズの組み合わせに応じて予め複数組のデータを設定し、データテーブルとして記憶手段１６０に記憶させるようにして、例えば、画像形成装置２０のコントロールパネルＣＰの操作入力手段２００や表示手段３００のタッチパネル方式の表示装置により、原稿サイズの組み合わせを選択すると、搬送制御を実行する際に、混載する原稿サイズの組み合わせに応じて第２の設定時間が選択設定されるようにすることにより、少しでも、不要な時間を削減して画像形成の生産性を向上させるようにしても良い。
【０１１５】
以上のように、本発明の実施の形態においては、例えば、記憶手段１６０に通常モードを実行する場合の第１の設定時間と混載モードを実行する時の第２の設定時間を予め記憶させ、混載モードが選択された場合は、第１の設定時間に代えて第２の設定時間により、自動原稿搬送装置の搬送制御を自動的に行うようにすることで、特別な機構等を必要とせず、構成が簡単で、原稿曲がりの発生しない、安価な自動原稿搬送装置を備えた画像形成装置を提供することができるようになった。
【０１１６】
また、第２の設定時間を原稿の後端部が搬送方向に対して傾いた時の傾き量分の距離を搬送する時間を加算した時間に設定することで、原稿がローラに挟まれた状態で停止することを防止できるので、更に搬送路の下流側で原稿が大きく曲がってジャム等を発生させることを防止することができるようになった。
【０１１７】
なお、自動原稿搬送装置の構造や機能及び性能等は機種毎に様々に変化しているので、混載モードとして使用可能な用紙サイズを含めて原稿曲がりの状態を想定し、予め実験等を行い、第１の設定時間及び第２の設定時間を機種等に応じて設定することが望ましい。
【０１１８】
また、場合によっては、同じ機種であっても製品のバラツキ等により作動時間の遅れ等のバラツキが生じることがあるので、その機種に応じた設定時間の調整が行えるように調整機能を備えるようにしても良い。
【図面の簡単な説明】
【０１１９】
【図１】本発明に係る自動原稿搬送装置を備えた画像形成装置の概略図。
【図２】本発明に係る自動原稿搬送装置を備えた画像形成装置の回路構成を示すブロック図。
【図３】本発明に係る自動原稿搬送装置の搬送制御を示す模式図。
【符号の説明】
【０１２０】
１  筐体
２  手差し皿
３  排紙皿
４  ローラ
５  感光体ドラム
６  帯電手段
７  現像手段
８  転写分離手段
９  クリーニング手段
１０  定着手段
１１  画像形成手段
１２  給紙カセット
１３  画像読取手段
１４  給排紙手段
２０  画像形成装置
３０  自動原稿搬送装置
３１  ＡＤＦ筐体
３２  原稿載置台
３３  排紙部
３４  送りローラ
３５  搬送ローラ（Ａ）
３６  搬送ローラ（Ｂ）
３７  搬送ローラ（Ｃ）
３８  ローラ
３９  読取ローラ
４０  排紙ローラ
４１  反転部材
Ｓ１  原稿検出センサ
【図１】
2005247580.tif 000003
【図２】
2005247580.tif 000004
【図３】
2005247580.tif 000005